(57)【要約】【課題】ドラム状コアの強度低下を招くことなく、はんだフィレットの形成に寄与する部分での端子電極の高さをより高くできる、巻線型コイル部品を提供する。【解決手段】端子電極２８〜３１は、鍔部２６，２７において、底面３７，３８と外側端面３５，３６とが交差する稜線位置から、底面３７，３８側に延びる部分と、外側端面３５，３６側に延びる部分と、を有する。端子電極２８〜３１の隣り合うものの間には、切欠き部４５，４６が設けられる。切欠き部４５，４６の外側端面３５，３６側の先端部５０は、外側端面３５，３６内に位置し、切欠き部４５，４６の内側端面３３，３４側の先端部４９は、底面３７，３８内に位置する。【選択図】図１
2018198234.tif 000002
【特許請求の範囲】
【請求項１】
巻芯部ならびに前記巻芯部の各端部にそれぞれ設けられた第１および第２の鍔部を有するドラム状コアと、
前記第１の鍔部に設けられた複数個の第１端子電極と、
前記第２の鍔部に設けられた複数個の第２端子電極と、
前記巻芯部に巻回され、かつ前記第１端子電極と前記第２端子電極との間に接続された、複数本のワイヤと、
を備え、
前記第１および第２の鍔部の各々は、前記巻芯部側に向きかつ前記巻芯部の各端部を位置させる内側端面と、前記内側端面の反対側の外側に向く外側端面と、前記内側端面と前記外側端面とを連結するものであって、実装時において実装基板側に向けられる底面と、前記底面の反対側の天面と、前記底面と前記天面とを連結する方向に延びかつ互いに対向する１対の側面と、を有し、
複数個の前記第１端子電極は、前記第１の鍔部の前記底面と前記外側端面とが交差する稜線の延びる方向に沿って配列され、
複数個の前記第２端子電極は、前記第２の鍔部の前記底面と前記外側端面とが交差する稜線の延びる方向に沿って配列され、
前記第１端子電極および前記第２端子電極は、それぞれ、前記第１および第２の鍔部において、前記底面と前記外側端面とが交差する稜線位置から、前記底面側に延びる部分と、前記外側端面側に延びる部分と、を有し、
前記第１および第２の鍔部の各々において、複数個の前記端子電極の隣り合うものの間には、切欠き部が設けられ、前記切欠き部の前記外側端面側の先端部は、前記外側端面内に位置し、前記切欠き部の前記内側端面側の先端部は、前記底面内に位置するか、前記切欠き部の前記外側端面側の先端部より、前記底面により近い側に位置する、
巻線型コイル部品。
【請求項２】
前記第１端子電極および前記第２端子電極の前記底面側に延びる部分の先端部は、前記底面内に位置しており、前記切欠き部の前記底面側の先端部は、前記底面内に位置しており、前記底面の前記内側端面側の領域は平坦な面を形成している、請求項１に記載の巻線型コイル部品。
【請求項３】
前記鍔部の前記側面に直交する方向から見た状態で、前記端子電極における、前記底面側に延びる部分の寸法に対する、前記外側端面側に延びる部分の寸法の比率は、９３％以下である、請求項２に記載の巻線型コイル部品。
【請求項４】
前記第１端子電極および前記第２端子電極は、それぞれ、前記第１および第２の鍔部において、前記底面と前記外側端面とが交差する稜線部分から前記底面を越えて前記内側端面側にまでさらに延びる部分を有し、
前記切欠き部が形成する開口は、前記外側端面側から前記底面を越えて前記内側端面側にさらに広がる領域を有し、
前記鍔部の前記側面に直交する方向から見た状態で、前記第１端子電極および前記第２端子電極における、前記底面を越えて前記内側端面側にさらに延びる部分の寸法は、前記底面と前記外側端面とが交差する稜線部分から前記外側端面側に延びる部分の寸法より短く、
前記鍔部の前記側面に直交する方向から見た状態で、前記切欠き部が形成する前記開口における、前記底面を越えて前記内側端面側にさらに広がる領域の寸法は、前記底面を越えて前記外側端面側に広がる領域の寸法より短い、
請求項１に記載の巻線型コイル部品。
【請求項５】
前記鍔部の前記側面に直交する方向から見た状態で、前記第１端子電極および前記第２端子電極における、前記底面を越えて前記内側端面側にさらに延びる部分の先端部は、巻回状態の前記ワイヤの外周位置より外側に位置する、請求項４に記載の巻線型コイル部品。
【請求項６】
前記切欠き部は、前記底面および前記外側端面に対して直交する方向に延び、かつ互いに対向する１対の内側面と、前記１対の内側面間を連結する内底面とによって規定される、請求項１ないし５のいずれかに記載の巻線型コイル部品。
【請求項７】
前記端子電極は、前記切欠き部の前記内側面にまで延びる部分をさらに備え、
前記第１および第２の鍔部の各々において最も端に位置する前記端子電極にあっては、前記切欠き部の前記内側面とは反対側の前記鍔部の前記側面の一部にまで延びる部分をさらに備える、
請求項６に記載の巻線型コイル部品。
【請求項８】
前記端子電極における、前記切欠き部の前記内側面にまで延びる部分は三角形をなし、
前記第１および第２の鍔部の各々において最も端に位置する前記端子電極にあっては、前記切欠き部の前記内側面とは反対側の前記鍔部の前記側面の一部にまで延びる部分が三角形をなしている、
請求項７に記載の巻線型コイル部品。
【請求項９】
前記切欠き部の前記内底面は、前記底面に対して斜め方向に交差する平坦な面をなしている、請求項６ないし８のいずれかに記載の巻線型コイル部品。
【請求項１０】
前記切欠き部の前記内底面は、内方へ凹んだ面をなしている、請求項６ないし８のいずれかに記載の巻線型コイル部品。
【請求項１１】
前記鍔部の前記側面に直交する方向から見た状態で、前記端子電極における前記外側端面側に延びる部分の寸法は、前記鍔部における前記底面から前記巻芯部までの寸法より長い、請求項１ないし１０のいずれかに記載の巻線型コイル部品。
【請求項１２】
前記鍔部の前記側面に直交する方向から見た状態で、前記端子電極における前記外側端面側に延びる部分の寸法は、０．５ｍｍ以上である、請求項１ないし１１のいずれかに記載の巻線型コイル部品。
【発明の詳細な説明】
【技術分野】
【０００１】
この発明は、巻線型コイル部品に関するもので、特に、巻芯部ならびに巻芯部の各端部にそれぞれ設けられた第１および第２の鍔部を有するドラム状コアを備える巻線型コイル部品に関するものである。
【背景技術】
【０００２】
この発明にとって興味ある巻線型コイル部品が、たとえば、特開２０１５−３２７６１号公報（特許文献１）に記載されている。図９は、特許文献１の図１を引用したものである。図９には、巻線型コイル部品の一例としての巻線型コモンモードチョークコイル１の外観が示されている。
【０００３】
図９に示すように、巻線型コモンモードチョークコイル１は、ドラム状コア２と、それぞれインダクタを構成する第１および第２のワイヤ３および４と、を備えている。
【０００４】
ドラム状コア２は、巻芯部５ならびに巻芯部５の各端部にそれぞれ設けられた第１および第２の鍔部６および７を有する。第１および第２のワイヤ３および４は、巻芯部５上において第１の鍔部６側の端部から第２の鍔部７側の端部に向かって互いに実質的に同じターン数をもって螺旋状に巻回されている。
【０００５】
第１の鍔部６には、２個の第１端子電極８および９が設けられ、第２の鍔部７には、２個の第２端子電極１０および１１が設けられる。なお、端子電極８〜１１の位置からわかるように、図９は、巻線型コモンモードチョークコイル１を、実装基板側に向けられる実装面を上方に向けた姿勢で図示している。
【０００６】
第１のワイヤ３の各端部は、一方の第１端子電極８および一方の第２端子電極１０に接続され、第２のワイヤ４の各端部は、他方の第１端子電極９および他方の第２端子電極１１に接続される。
【先行技術文献】
【特許文献】
【０００７】
【特許文献１】特開２０１５−３２７６１号公報
【発明の概要】
【発明が解決しようとする課題】
【０００８】
上述した巻線型コモンモードチョークコイル１における端子電極８〜１１が設けられる鍔部６および７の形態に注目すると、第１の鍔部６においては、端子電極８および９の間に切欠き部１２が設けられ、第２の鍔部７においては、端子電極１０および１１の間に切欠き部１３が設けられている。これら切欠き部１２および１３は、端子電極８および９相互間の電気的絶縁状態、ならびに端子電極１０および１１相互間の電気的絶縁状態を確保するように機能している。
【０００９】
このような構成の巻線型コモンモードチョークコイル１において、端子電極８〜１１の高さＨａは、当該コモンモードチョークコイル１をはんだ実装したときに形成されるはんだフィレットの形状に影響を及ぼす。すなわち、端子電極８〜１１の高さＨａがある程度以上でなければ、曲面のきれいなはんだフィレットが形成されにくい。
【００１０】
また、端子電極８〜１１の高さＨａが高いほど、端子電極８〜１１と鍔部６および７との接触面積が増し、その結果、端子電極８〜１１の、鍔部６および７に対する固着強度を高めることができる。
【００１１】
このように、端子電極８〜１１の高さＨａをより高くすることにより、いくつかの利点を期待できる。しかし、図９に示した巻線型コモンモードチョークコイル１では、端子電極８〜１１の高さＨａを高くすることは、裏返せば、切欠き部１２および１３を深く形成することであるが、寸法制限のある巻線型コモンモードチョークコイル１において、切欠き部１２および１３を深く形成すると、ドラム状コア２の強度低下を招く。そのため、端子電極８〜１１の高さＨａの上限には制限があるのが通常である。
【００１２】
また、図９の構造では、ドラム状コア２の強度を度外視したとしても、端子電極８〜１１の高さＨａは巻芯部５よりも高く形成することができない。端子電極８〜１１の高さＨａが巻芯部５よりも高くなると、端子電極８〜１１が巻芯部５側で端子電極８〜１１の他のものとショートしてしまうためである。また、端子電極８〜１１の高さＨａが、巻芯部５より低い場合であっても、巻芯部５に近づくにつれ、実装時のはんだがワイヤに付着するリスクが大きくなる。よって、端子電極８〜１１の高さＨａは巻芯部５に対して十分な間隔を取る必要があり、あまり高くすることができない。
【００１３】
同種の問題は、巻線型コモンモードチョークコイルに限らず、複数本のワイヤを備え、各鍔部に複数個の端子電極が設けられる、たとえば巻線型チップトランスのような他の巻線型コイル部品においても遭遇し得る。
【００１４】
そこで、この発明の目的は、ドラム状コアの強度低下を招くことなく、はんだフィレットの形成に寄与する部分での端子電極の高さをより高くできる、巻線型コイル部品を提供しようとすることである。
【課題を解決するための手段】
【００１５】
この発明は、巻芯部ならびに巻芯部の各端部にそれぞれ設けられた第１および第２の鍔部を有するドラム状コアと、第１の鍔部に設けられた複数個の第１端子電極と、第２の鍔部に設けられた複数個の第２端子電極と、巻芯部に巻回され、かつ第１端子電極と第２端子電極との間に接続された、複数本のワイヤと、を備える、巻線型コイル部品に向けられる。
【００１６】
上記第１および第２の鍔部の各々は、巻芯部側に向きかつ巻芯部の各端部を位置させる内側端面と、内側端面の反対側の外側に向く外側端面と、内側端面と外側端面とを連結するものであって、実装時において実装基板側に向けられる底面と、底面の反対側の天面と、底面と天面とを連結する方向に延びかつ互いに対向する１対の側面と、を有する。
【００１７】
複数個の第１端子電極は、第１の鍔部の底面と外側端面とが交差する稜線の延びる方向に沿って配列され、複数個の第２端子電極は、第２の鍔部の底面と外側端面とが交差する稜線の延びる方向に沿って配列される。
【００１８】
以上のような構成を有する巻線型コイル部品において、前述した技術的課題を解決するため、この発明は、次のような構成を備えることを特徴としている。
【００１９】
すなわち、この発明に係る巻線型コイル部品において、第１端子電極および第２端子電極は、それぞれ、第１および第２の鍔部において、底面と外側端面とが交差する稜線位置から、底面側に延びる部分と、外側端面側に延びる部分と、を有する。
【００２０】
また、第１および第２の鍔部の各々において、複数個の端子電極の隣り合うものの間には、切欠き部が設けられる。切欠き部の外側端面側の先端部は、外側端面内に位置している。切欠き部の内側端面側の先端部は、底面内に位置するか、切欠き部の外側端面側の先端部より、底面により近い側に位置する、ことを特徴としている。
【００２１】
上記のような特徴的構成によれば、特許文献１に記載のものに比べて、ドラム状コアの深刻な強度低下を招くことなく、切欠き部を鍔部の外側端面においてより深く形成することができる。よって、鍔部において配列された複数個の端子電極における外側端面上の部分を、切欠き部によって隔てられた状態を維持しながら、より長く延ばすことができる。
【００２２】
好ましくは、第１端子電極および第２端子電極の底面側に延びる部分の先端部は、底面内に位置しており、切欠き部の底面側の先端部は、底面内に位置しており、底面の内側端面側の領域は平坦な面を形成している。
【００２３】
この構成によれば、巻線型コイル部品の実装基板への実装状態において、上記平坦な面を実装基板に接触または近接させることができる。したがって、実装後において、当該巻線型コイル部品に、たとえば防湿のためのコーティング剤が付与されるとき、鍔部と実装基板との隙間をコーティング剤が通過しにくくすることができる。コーティング剤がワイヤに絡んだまま、膨張・収縮を繰り返すことにより、ワイヤに断線等の損傷を及ぼすことがあるが、上記の構成によれば、このような損傷を生じにくくすることができる。
【００２４】
この発明において、好ましくは、鍔部の側面に直交する方向から見た状態で、端子電極における、底面側に延びる部分の寸法に対する、外側端面側に延びる部分の寸法の比率は、９３％以下である。この構成は、端子電極が導電性ペーストのディップによる付与工程を経て形成されるとき、巻線型コイル部品の量産性を向上させる。
【００２５】
この発明における他の実施態様では、第１端子電極および第２端子電極は、それぞれ、第１および第２の鍔部において、底面と外側端面とが交差する稜線部分から底面を越えて内側端面側にまでさらに延びる部分を有し、切欠き部が形成する開口は、外側端面側から底面を越えて内側端面側にさらに広がる領域を有する。この構成によれば、端子電極の鍔部に対する接触面積を増やすことができ、その結果、端子電極の鍔部に対する固着強度を高めることができる。
【００２６】
そして、上述した実施態様では、鍔部の側面に直交する方向から見た状態で、第１端子電極および第２端子電極における、底面を越えて内側端面側にさらに延びる部分の寸法は、底面と外側端面とが交差する稜線部分から外側端面側に延びる部分の寸法より短く、ドラム状コアの強度低下を招かないようにするため、鍔部の側面に直交する方向から見た状態で、切欠き部が形成する開口における、底面を越えて内側端面側にさらに広がる領域の寸法は、底面を越えて外側端面側に広がる領域の寸法より短いことが好ましい。
【００２７】
上述した実施態様において、鍔部の側面に直交する方向から見た状態で、第１端子電極および第２端子電極における、底面を越えて内側端面側にさらに延びる部分の先端部は、巻回状態のワイヤの外周位置より外側に位置することが好ましい。この構成によれば、ワイヤと端子電極との不所望な接触を生じにくくすることができる。
【００２８】
この発明において、切欠き部は、底面および外側端面に対して直交する方向に延び、かつ互いに対向する１対の内側面と、１対の内側面間を連結する内底面とによって規定されることが好ましい。
【００２９】
上述の場合、端子電極は、切欠き部の上記内側面にまで延びる部分をさらに備えるように形成されることができる。また、内側面が内底面で分離されるので、端子電極同士のショートを防ぎつつ、内側面に端子電極を形成することができる。また、第１および第２の鍔部の各々において最も端に位置する端子電極にあっては、切欠き部の内側面とは反対側の鍔部の側面の一部にまで延びる部分をさらに備えるように形成されることができる。
【００３０】
これらの構成によれば、端子電極の鍔部に対する接触面積を増すことができ、その結果、端子電極の鍔部に対する固着強度を高めることができる。
【００３１】
上述の実施態様において、典型的には、端子電極における、切欠き部の内側面にまで延びる部分は三角形をなし、第１および第２の鍔部の各々において最も端に位置する端子電極にあっては、切欠き部の内側面とは反対側の鍔部の側面の一部にまで延びる部分が三角形をなしている。
【００３２】
また、上述した実施態様において、切欠き部の内底面は、底面に対して斜め方向に交差する平坦な面によって与えられても、内方へ凹んだ面によって与えられてもよい。後者の内方へ凹んだ面は、内方へ湾曲した面であっても、内方へ屈曲した面であってもよいが、いずれであっても、ディップ法により導電性ペーストを付与する工程を経て端子電極が形成される場合、端子電極間のショート不良を生じにくくすることができる。
【００３３】
この発明を実施した結果、必要に応じて、鍔部の側面に直交する方向から見た状態で、端子電極における外側端面側に延びる部分の寸法は、鍔部における底面から巻芯部までの寸法より長くすることができる。このような寸法関係に選ばれると、ドラム状コアの強度を低下させることなく、かつ巻芯部の実装面からの高さに影響されることなく、はんだフィレットの形成に寄与する部分での端子電極の高さを高くすることができる。
【００３４】
この発明において、はんだフィレットの曲面をより確実にきれいに形成するためには、鍔部の側面に直交する方向から見た状態で、端子電極における外側端面側に延びる部分の寸法は、０．５ｍｍ以上であることが好ましい。
【００３５】
なお、この発明において、端子電極が、導電性ペーストの塗布・焼付けによって形成される焼付け層を下地として、その上に少なくとも１層のめっき膜を形成することによって、多層構造とされることがあるが、上述した端子電極に関する位置や形状、寸法の規定は、めっき膜を考慮せず、下地となる焼付け層を基準としていることに留意すべきである。
【発明の効果】
【００３６】
この発明によれば、ドラム状コアの強度低下を招くことなく、少なくともはんだフィレットの形成に寄与する部分での端子電極の高さを高くすることができる。したがって、端子電極の高さを高くできる分、端子電極の、鍔部との接触面積が増し、その結果、端子電極の、鍔部に対する固着強度を高めることができる。また、実装基板へのはんだ実装状態において、曲面のきれいなはんだフィレットが形成されるので、画像認識の信頼性が高まる。そのため、実装状態の適否の判定についての自動認識が容易になる。
【図面の簡単な説明】
【００３７】
【図１】この発明の第１の実施形態による巻線型コイル部品２１の斜視図であり、実装基板側に向けられる面を見せている。
【図２】図１に示した巻線型コイル部品２１からドラム状コア２２のみを取り出して示す斜視図である。
【図３】図２に示したドラム状コア２２に端子電極２８〜３１を形成した状態を示す斜視図である。
【図４】図３に示した、端子電極２８〜３１を形成した状態ドラム状コア２２の一部を拡大して示す、図３の線IV−IVに沿う断面図である。
【図５】図１に示した巻線型コイル部品２１における端子電極２８〜３１の形成方法を説明するための図である。
【図６】この発明の第２の実施形態による巻線型コイル部品に備えるドラム状コア２２ａの一部を拡大して示す、図４に対応する断面図である。
【図７】この発明の第３の実施形態による巻線型コイル部品に備えるドラム状コア２２ｂの一部を拡大して示す、図４に対応する断面図である。
【図８】この発明の第４の実施形態による巻線型コイル部品に備えるドラム状コア２２ｃの一部を拡大して示す、図４に対応する断面図である。
【図９】特許文献１の図１を引用したもので、巻線型コイル部品の一例としての巻線型コモンモードチョークコイル１の外観を底面側から示す斜視図である。
【発明を実施するための形態】
【００３８】
図１ないし図５を参照して、この発明の第１の実施形態による巻線型コイル部品２１について説明する。この巻線型コイル部品２１は、コモンモードチョークコイルを構成するものである。
【００３９】
図１に示すように、巻線型コイル部品２１は、ドラム状コア２２と、それぞれインダクタを構成する第１のワイヤ２３および第２のワイヤ２４と、を備えている。ドラム状コア２２は、電気絶縁性材料、より具体的には、誘電体としてのアルミナ、磁性体としてのＮｉ−Ｚｎ系フェライト、または樹脂などから構成される。ドラム状コア２２の断面は、図２によく示されているように、全体としてアール面取りされた四角形状をなしている。ワイヤ２３および２４は、たとえば、絶縁被覆された銅線から構成される。
【００４０】
ドラム状コア２２は、図２によく示されているように、巻芯部２５ならびに巻芯部２５の各端部にそれぞれ設けられた第１の鍔部２６および第２の鍔部２７を有する。第１および第２のワイヤ２３および２４は、巻芯部２５上において第１の鍔部２６側の一方端部から第２の鍔部２７側の他方端部に向かって互いに実質的に同じターン数をもって螺旋状に巻回されている。
【００４１】
図１では明瞭に表わされていないが、第１および第２のワイヤ２３および２４の一方は、巻芯部２５の周面に接する第１層を構成する状態で巻回され、第１および第２のワイヤ２３および２４の他方は、その断面上の一部を第１層を構成するワイヤの隣り合うターン間に形成される凹部に嵌り込ませながら第１層の外側の第２層を構成する状態で巻回されている。なお、第１および第２のワイヤ２３および２４は、巻芯部２５上において、互いに隣り合うバイファイラ巻きにされてもよいし、巻芯部２５上において、それぞれ別の場所に巻回されていてもよいし、第３層以上を構成する状態で巻回されていてもよい。このように、第１および第２のワイヤ２３および２４の巻回態様について、特別な制限はない。
【００４２】
第１の鍔部２６には、図３によく示されているように、２個の第１端子電極２８および２９が設けられ、第２の鍔部２７には、２個の第２端子電極３０および３１が設けられる。端子電極２８〜３１の位置からわかるように、図１ないし図３は、巻線型コイル部品２１またはドラム状コア２２を、実装基板側に向けられる面を見せる姿勢で図示している。端子電極２８〜３１は、たとえば、Ａｇを導電成分とする導電性ペーストの焼付けにより形成され、その上に、必要に応じて、たとえば、ＮｉめっきおよびＳｎめっきが順次施される。一例として、Ｎｉめっき膜の厚みは３μｍ程度、Ｓｎめっき膜の厚みは１０μｍ程度とされる。
【００４３】
上述した端子電極２８〜３１における焼付け層はＡｇに代えてＣｕを導電成分とする導電性ペーストを用いて形成されてもよい。また、その上に形成されるめっき膜は、Ｃｕ／Ｎｉ／Ｓｎめっき、またはＮｉ／Ｃｕ／Ｓｎめっきの順に形成されてもよい。さらに、最外層にＰｄ／Ａｕめっき膜を形成する場合もある。
【００４４】
なお、鍔部２６および２７ならびに端子電極２８〜３１の各々の形態の詳細については後述する。
【００４５】
第１のワイヤ２３の各端部は、一方の第１端子電極２８および一方の第２端子電極３０に接続され、第２のワイヤ２４の各端部は、他方の第１端子電極２９および他方の第２端子電極３１に接続される。これらの接続には、たとえば、熱圧着が適用される。
【００４６】
図１に示すように、巻線型コイル部品２１は、さらに、板状コア３２を備える。板状コア３２は、接着剤によって、ドラム状コア２２に接合される。板状コア３２は、ドラム状コア２２と同様、たとえば、非磁性体としてのアルミナ、磁性体としてのＮｉ−Ｚｎ系フェライト、または樹脂などから構成される。ドラム状コア２２および板状コア３２がともに磁性体からなるとき、板状コア３２が第１の鍔部２６および第２の鍔部２７間を連結するように設けられることによって、ドラム状コア２２は、板状コア３２と協働して、閉磁路を構成する。なお、板状コア３２は必須の要素ではない。
【００４７】
次に、主として図２ないし図４を参照して、鍔部２６および２７ならびに端子電極２８〜３１の各々の形態の詳細については説明する。
【００４８】
鍔部２６および２７は、それぞれ、巻芯部２５側に向きかつ巻芯部２５の各端部を位置させる内側端面３３および３４と、内側端面３３および３４の反対側の外側に向く外側端面３５および３６とを有し、さらに、実装時において実装基板（図示しない。）側に向けられる底面３７および３８と、底面３７および３８の反対側の天面３９および４０と、第１の側面４１および４２と、第１の側面４１および４２に対向する第２の側面４３および４４とを有している。
【００４９】
第１の鍔部２６において、底面３７、天面３９、第１の側面４１および第２の側面４３は、それぞれ、内側端面３３と外側端面３５とを連結するものである。また、第１の側面４１および第２の側面４３は、底面３７と天面３９とを連結する方向に延びるものである。
【００５０】
同様に、第２の鍔部２７において、底面３８、天面４０、第１の側面４２および第２の側面４４は、それぞれ、内側端面３４と外側端面３６とを連結するものである。また、第１の側面４２および第２の側面４４は、底面３８と天面４０とを連結する方向に延びるものである。
【００５１】
２個の第１端子電極２８および２９は、第１の鍔部２６の底面３７と外側端面３５とが交差する稜線の延びる方向に沿って配列される。２個の第２端子電極３０および３１は、第２の鍔部２７の底面３８と外側端面３６とが交差する稜線の延びる方向に沿って配列される。
【００５２】
第１の鍔部２６において、隣り合う２個の第１端子電極２８および２９の間には、切欠き部４５が設けられている。また、第２の鍔部２７において、隣り合う２個の第２端子電極３０および３１の間には、切欠き部４６が設けられている。
【００５３】
以下の説明において、端子電極２８〜３１の各部分を示すために用いる参照符号は、端子電極２８〜３１間で共通化し、また、切欠き部４５および４６に関連する各部分を示すために用いる参照符号についても、切欠き部４５および４６間で共通化することにする。
【００５４】
第１端子電極２８および２９は、第１の鍔部２６において、底面３７と外側端面３５とが交差する稜線位置から、底面３７側に延びる部分４７と、外側端面３５側に延びる部分４８と、を有する。第２端子電極３０および３１についても、第２の鍔部２７において、底面３８と外側端面３６とが交差する稜線位置から、底面３８側に延びる部分４７と、外側端面３６側に延びる部分４８と、を有する。
【００５５】
また、第１の鍔部２６において、切欠き部４５の内側端面３３側の先端部４９は、底面３７内に位置し、切欠き部４５の外側端面３５側の先端部５０は、外側端面３５内に位置している。図１ないし図４に示される姿勢で言えば、切欠き部４５の内側端面３３側の先端部４９は、切欠き部４５の外側端面３５側の先端部５０より低い位置（実装基板側に近い位置）にあるということである。
【００５６】
同様に、第１の鍔部２７において、切欠き部４６の内側端面３４側の先端部４９は、底面３７内に位置し、切欠き部４６の外側端面３６側の先端部５０は、外側端面３６内に位置している。図１ないし図４に示される姿勢で言えば、切欠き部４６の内側端面３４側の先端部４９は、切欠き部４６の外側端面３６側の先端部５０より低い位置（実装基板側に近い位置）にあるということである。
【００５７】
ドラム状コア２２の強度に大きな影響があるのは、内側端面３３および３４における切欠き部４５および４６の深さである。上記のように、先端部４９が先端部５０より低い位置にあると、ドラム状コア２２の深刻な強度低下を招くことなく、切欠き部４５および４６を、それぞれ、鍔部２６および２７の外側端面３５および３６においてより深く形成することができる。この実施形態では、切欠き部４５および４６の内側端面３３および３４側の先端部４９の高さ（切欠き部４５および４６の深さ）と外側端面３５および３６側の先端部５０の高さとを互いに独立して設定できる。よって、鍔部２６および２７において配列された端子電極２８〜３１における外側端面３５および３６側に延びる部分４８を、切欠き部４５および４６によって隔てられた状態を維持しながら、より長く延ばすことができる。
【００５８】
特に、この実施形態では、前述したように、切欠き部４５および４６が形成する開口の底面３７および３８側に広がる領域の先端部４９は、底面３７および３８内に位置している。その結果、底面３７および３８の内側端面３３および３４側の領域は平坦な面５１を形成している。
【００５９】
この構成によれば、巻線型コイル部品２１の実装基板への実装状態において、上記平坦な面５１を実装基板にほぼ接触または近接させることができる。したがって、実装後において、当該巻線型コイル部品２１に、たとえば防湿のためのコーティング剤が付与されるとき、鍔部２６および２７と実装基板との隙間をコーティング剤が通過しにくくすることができる。コーティング剤は、炎天下や氷点下など、実装基板が置かれる使用環境の変化によって、膨張・収縮する場合がある。コーティング剤がワイヤ２３および２４に絡んだまま、このような膨張・収縮を繰り返すことにより、ワイヤ２３および２４に断線等の損傷を及ぼすことがあるが、上記の構成によれば、このような損傷を防止することができる。
【００６０】
この巻線型コイル部品２１は、さらに、以下のような特徴も有している。
【００６１】
まず、切欠き部４５は、底面３７および外側端面３５に対して直交する方向に延び、かつ互いに対向する１対の内側面５３および５４と、１対の内側面５３および５４間を連結する内底面５５とによって規定される。切欠き部４６についても、底面３８および外側端面３６に対して直交する方向に延び、かつ互いに対向する１対の内側面５３および５４と、１対の内側面５３および５４間を連結する内底面５５とによって規定される。
【００６２】
そして、第１端子電極２８および２９は、切欠き部４５の上記内側面５３および５４にまで延びる部分５６をさらに備えるように形成される。第２端子電極３０および３１についても、切欠き部４６の上記内側面５３および５４にまで延びる部分５６をさらに備えるように形成される。また、第１および第２の鍔部２６および２７の各々において最も端に位置する端子電極、すなわち、端子電極２８〜３１にあっては、切欠き部４５および４６の内側面５３および５４とは反対側の鍔部２６および２７の側面４１〜４４の一部にまで延びる部分５７をさらに備えるように形成される。
【００６３】
上述した構成によれば、端子電極２８〜３１の鍔部２６および２７に対する接触面積を増すことができ、その結果、端子電極２８〜３１の鍔部２６および２７に対する固着強度を高めることができる。また、端子電極２８〜３１において、実装時のはんだとの接触面積も増えるので、実装時において、端子電極２８〜３１とはんだとの固着強度、ひいては、端子電極２８〜３１と実装基板との固着強度をも高めることができる。
【００６４】
この実施態様では、後述する端子電極２８〜３１の形成方法に起因して、端子電極２８〜３１における、切欠き部４５および４６の内側面５３および５４にまで延びる部分５６は三角形をなし、切欠き部４５および４６の内側面５３および５４とは反対側の鍔部２６および２７の側面４１〜４４の一部にまで延びる部分５７が三角形をなしている。
【００６５】
また、切欠き部４５および４６の内底面５５は、底面３７および３８の各々に対して斜め方向に交差する平坦な面によって与えられている。
【００６６】
また、図４を参照して、鍔部２６および２７の側面４１〜４４に直交する方向から見た状態で、端子電極２８〜３１における外側端面３５および３６側に延びる部分４８の寸法Ａは、鍔部２６および２７における底面３７および３８から巻芯部２５までの寸法Ｂより長い。このような寸法関係に選ばれると、結果として、はんだフィレットの形成に寄与する部分での端子電極２８〜３１の高さを高くすることができる。このような構成は、図９に示した従来技術では実現することが不可能である。
【００６７】
また、はんだフィレットの曲面をより確実にきれいに形成するためには、鍔部２６および２７の側面４１〜４４に直交する方向から見た状態で、端子電極２８〜３１における外側端面３５および３６側に延びる部分４８の寸法Ａは、０．５ｍｍ以上であることが好ましい。
【００６８】
なお、図示の実施形態では、切欠き部４５および４６が内側面５３および５４と内底面５５とによって規定されたが、切欠き部は、曲面で規定され、内側面と内底面とが区別できない形状であってもよい。また、切欠き部が曲面で規定される場合などにおいては、前述した切欠き部４５および４６の内側端面３３および３４側の先端部４９ならびに外側端面３５および３６側の先端部５０は、図示したような辺として現れるのではなく、点として現れることがある。
【００６９】
図５には、巻線型コイル部品２１における端子電極２８〜３１の好ましい形成方法が示されている。
【００７０】
図５に示すように、ディップ法により、導電性ペースト５９をドラム状コア２２に付与するためのアプリケータ６０が用意される。アプリケータ６０は板状であり、その平坦な上面に、導電性ペースト５９を、一様な厚みをもって保持している。アプリケータ６０の上方には、ドラム状コア２２を保持したホルダ６１が配置される。ドラム状コア２２は、たとえば粘着力によって、ホルダ６１に保持される。
【００７１】
図１、図３および図４に示したような形態の端子電極２８〜３１を形成するため、ホルダ６１によって保持されたドラム状コア２２は、アプリケ―タ６０の主面に対して傾斜角θをもって傾けられる。そして、ドラム状コア２２は、この姿勢のまま、導電性ペースト５９内にディップされ、次いで、引き上げられる。その後、導電性ペースト５９の焼付け工程が実施される。
【００７２】
前述したように、端子電極２８〜３１における、切欠き部４５および４６の内側面５３および５４にまで延びる部分５６が三角形をなし、切欠き部４５および４６の内側面５３および５４とは反対側の鍔部２６および２７の側面４１〜４４の一部にまで延びる部分５７が三角形をなしているのは、浸漬時にドラム状コア２２が傾けられるためである。
【００７３】
ここで、巻線型コイル部品２１の量産性、より特定的には、端子電極２８〜３１の形成工程での能率性を考えると、上述した傾斜角θは４３度以下であることが好ましいことがわかっている。したがって、４３度以下の傾斜角θにしたとき、鍔部２６および２７の側面４１〜４４に直交する方向から見た状態で、端子電極２８〜３１における、底面３７および３８側に延びる部分４７の寸法Ｃに対する、外側端面３５および３６側に延びる部分４８の寸法Ａの比率は、９３％以下となる。
【００７４】
以下、この発明の他の実施形態について説明する。
【００７５】
図６、図７および図８は、それぞれ、この発明の第２、第３および第４の実施形態による巻線型コイル部品に備えるドラム状コア２２ａ、２２ｂおよび２２ｃの各々の一部を拡大して示す、図４に対応する断面図である。図６ないし図８において、図４に示す要素に相当する要素には同様の参照符号を付し、重複する説明を省略する。
【００７６】
図６、図７および図８には、図４の場合と同様、第２の鍔部２７、ならびにそこに設けられた切欠き部４６および第２端子電極３１が図示されている。したがって、以下において、図６ないし図８に図示された第２の鍔部２７および第２端子電極３１のみに関連して説明する。しかし、説明を省略するが、他方の第２端子電極３０においても、また、第１の鍔部２６においても、第２端子電極３１および第２の鍔部２７と同様の構成が採用されている。
【００７７】
図６を参照して、ドラム状コア２２ａにおいて、切欠き部４６の内底面５５は、内方へ凹んだ面、より特定的には、内方へ屈曲した面によって与えられている。
【００７８】
図７を参照して、ドラム状コア２２ｂにおいて、切欠き部４６の内底面５５は、内方へ凹んだ面、より特定的には、内方へ湾曲した面によって与えられている。
【００７９】
上述のドラム状コア２２ａおよび２２ｂのように、切欠き部４６の内底面５５が、内方へ凹んだ面によって与えられると、ディップ法により導電性ペーストを付与する工程を経て端子電極３０および３１が形成される場合、導電性ペーストが内底面５５を伝うことに起因する端子電極３０および３１間のショート不良を生じにくくすることができる。
【００８０】
図８を参照して、ドラム状コア２２ｃでは、端子電極３１は、鍔部２７において、底面３８と外側端面３６とが交差する稜線位置から底面３８を越えて内側端面３４側にまでさらに延びる部分６３を有し、切欠き部４６が形成する開口は、外側端面３６側から底面３８を越えて内側端面３４側にさらに広がる領域を有することを特徴としている。
【００８１】
この構成によれば、端子電極３１の鍔部２７に対する接触面積を増やすことができ、その結果、端子電極３１の鍔部２７に対する固着強度を高めることができる。また、端子電極３１等において、実装時のはんだとの接触面積も増えるので、実装時において、端子電極３１等とはんだとの固着強度、ひいては、端子電極３１等と実装基板との固着強度をも高めることができる。
【００８２】
また、この実施態様では、切欠き部４６が形成する開口の底面３８側に広がる領域の先端部４９は、内側端面３４における、当該開口の外側端面３６側に広がる領域の先端部５０に比べて、より底面３８側に位置している。すなわち、鍔部２７の側面４２および４４に直交する方向から見た状態で、端子電極３１における、底面３８を越えて内側端面３４側にさらに延びる部分６３の寸法Ｄは、底面３８と外側端面３６とが交差する稜線部分から外側端面３６側に延びる部分４８の寸法Ａより短い。また、ドラム状コア２２ｃの強度低下を招かないようにするため、鍔部２７の側面４２および４４に直交する方向から見た状態で、切欠き部４６が形成する開口における、底面３８を越えて内側端面３４側にさらに広がる領域の寸法は、底面３８と外側端面３６とが交差する稜線部分から外側端面３６側に広がる領域の寸法より短い。
【００８３】
また、この実施態様では、鍔部２７の側面４２および４４に直交する方向から見た状態で、端子電極３１における、底面３８を越えて内側端面３４側にさらに延びる部分６３の先端部６４は、巻回状態のワイヤ２３および２４の外周位置６５より外側（すなわち、図による下側あるいは実装基板側）に位置している。この構成によれば、ワイヤ２３および２４と端子電極３１との不所望な接触を生じにくくすることができる。
【００８４】
以上、この発明を図示したコモンモードチョークコイルに係る実施形態に関連して説明したが、この発明は巻線型チップトランスにも適用することができる。
【００８５】
また、この発明において、ワイヤおよび端子電極の数は任意である。たとえば、３本以上のワイヤを備え、一方の鍔部に３個以上の端子電極が設けられてもよい。この場合、切欠き部が複数形成されるが、それぞれの形状は、互いに同じであっても、互いに異なっていてもよい。なお、図示した実施形態の場合であっても、第１の鍔部２６側の切欠き部４５と第２の鍔部２７側の切欠き部４６とは、各々の形状が互いに異なっていてもよい。
【００８６】
また、図示した各実施形態は、例示的なものであり、異なる実施形態間において、構成の部分的な置換または組み合わせが可能であることを指摘しておく。
【符号の説明】
【００８７】
２１  巻線型コイル部品
２２，２２ａ，２２ｂ，２２ｃ  ドラム状コア
２３，２４  ワイヤ
２５  巻芯部
２６，２７  鍔部
２８，２９，３０，３１  端子電極
３３，３４  内側端面
３５，３６  外側端面
３７，３８  底面
３９，４０  天面
４１，４２，４３，４４  側面
４５，４６  切欠き部
４７  端子電極における底面側に延びる部分
４８  端子電極における外側端面側に延びる部分
４９  切欠き部の底面側の先端部
５０  切欠き部の外側端面側の先端部
５１  平坦な面
５３，５４  内側面
５５  内底面
５６  端子電極における内側面にまで延びる部分
５７  端子電極における側面の一部にまで延びる部分
６３  端子電極における内側端面側に延びる部分
６４  端子電極における内側端面側に延びる部分の先端部
６５  巻回状態のワイヤの外周位置
Ａ  端子電極における外側端面側に延びる部分の寸法
Ｂ  底面から巻芯部までの寸法
Ｃ  端子電極における底面側に延びる部分の寸法
Ｄ  端子電極における内側端面側に延びる部分の寸法
【図１】
2018198234.tif 000003
【図２】
2018198234.tif 000004
【図３】
2018198234.tif 000005
【図４】
2018198234.tif 000006
【図５】
2018198234.tif 000007
【図６】
2018198234.tif 000008
【図７】
2018198234.tif 000009
【図８】
2018198234.tif 000010
【図９】
2018198234.tif 000011